(57)【特許請求の範囲】
【請求項１】
透液性表面シートと裏面シートとこれらの間の吸収体主体を有する半剛性の吸収体と、製品の両側の少なくとも長手方向中間に設けられたバリヤーカフスと、前記吸収体より前記表面と反対側の裏面がわにおいて設けられたバックシートとを有し、
前記吸収体の裏面シートまたは前記バックシートの少なくとも一方が不透液性であり、
少なくとも製品の長手方向中央部分において、前記吸収体の裏面の幅方向中間部分のみがバックシートと相互に一体化され、かつ両側部分が自由部分とされ、
前記バリヤーカフスの裾部の一方端が前記吸収体の側部に固定され、他方端が前記バックシートに前記吸収体の側縁より幅方向外方において固定され、これらの両固定部を起線として使用状態において横断面山形に表面側に起立し、
その山形の頂部においてバックシートと一体化された長手方向に延びる弾性伸縮部材により起立状態が維持される構成とされ、
前記バックシートは少なくとも幅方向に、かつ少なくとも前記両裾端の間は弾性伸縮性を示す構成とされた、
ことを特徴とする使い捨て紙おむつ。
【請求項２】
前記吸収体の裏面が不透液性シートからなり、前記バックシートが透液性シートからなる請求項１記載の使い捨て紙おむつ。
【発明の詳細な説明】
【０００１】
【発明の属する技術分野】
本発明は、バリヤーカフスを有する紙おむつ、特に好適には、いわゆるトレーニングパンツなどのパンツ型の使い捨て紙おむつに関する。
【０００２】
【従来の技術】
使い捨て紙おむつ、特にトレーニングパンツは、乳児から幼児に移行する過程で、紙おむつ離れを促進するために使用されている。
【０００３】
この種のパンツタイプの紙おむつについては、種々の提案がなされ、かつ一部市販されている。その代表例としては、特開平２−４３２６号、特開平４−２２６６５８号、実開平４−４４９２０号のものを挙げることができる。
【０００４】
一方、従来からいわゆるバリヤーカフスを有する紙おむつが市販されている。この種の紙おむつは、特に軟便の横漏れを防止することができるなどの点に優れる。そこで、本出願人は、特開平７−３２８０６７号として、バリヤーカフスを有するパンツ型の紙おむつを提案した。この紙おむつにおいては、バックシートが弾性伸縮性を有するので、着用者にとって過度の圧迫感がないばかりでなくフィット性に優れる。
【０００５】
【発明が解決しようとする課題】
しかるに、バリヤーカフスは、これが着用時において適切に起立し、着用者の脚の付け根部分に良好に密着することがその機能上、重要なことであるが、この課題を十分に解決できていない。
【０００６】
ちなみに、特開平７−３２８０６７号公報に記載された紙おむつにおけるバリヤーカフスは、一重のシートの起立端部に弾性伸縮部材を固定したものである。
【０００７】
そこで、本発明の主たる課題は、バリヤーカフスを確実に起立させる構造のものを得ることにある。
【０００８】
【課題を解決するための手段】
上記課題を解決した本発明は、透液性表面シートと裏面シートとこれらの間の吸収体主体を有する半剛性の吸収体と、製品の両側の少なくとも長手方向中間に設けられたバリヤーカフスと、前記吸収体より前記表面と反対側の裏面がわにおいて設けられたバックシートとを有し、
前記吸収体の裏面シートまたは前記バックシートの少なくとも一方が不透液性であり、
少なくとも製品の長手方向中央部分において、前記吸収体の裏面の幅方向中間部分のみがバックシートと相互に一体化され、かつ両側部分が自由部分とされ、
前記バリヤーカフスの裾部の一方端が前記吸収体の側部に固定され、他方端が前記バックシートに前記吸収体の側縁より幅方向外方において固定され、これらの両固定部を起線として使用状態において横断面山形に表面側に起立し、
その山形の頂部においてバックシートと一体化された長手方向に延びる弾性伸縮部材により起立状態が維持される構成とされ、
前記バックシートは少なくとも幅方向に、かつ少なくとも前記両裾端の間は弾性伸縮性を示す構成とされた、ことを特徴とする使い捨て紙おむつである。
【０００９】
また、前記吸収体の裏面が不透液性シートからなり、前記バックシートが透液性シートからなる構造も提案される。
【００１０】
【発明の実施の形態】
以下、図面を参照しながら実施の形態を説明することにより、本発明を詳述する。
【００１１】
図１〜図４は本発明の使い捨て紙おむつの代表例を示したもので、不織布などからなる透液性表面シート１とポリエチレンシートなどからなる不透液性裏面シート２とにより綿状パルプなどからなる吸収体主体３を包んだ構造の吸収体１０が、本体バックシート２０に設けられている。吸収体１０は、公知のように高分子吸収ポリマー、吸収体主体３を包むティシュペーパーなどを含み、全体として寸法が変化しないが変形が可能な半剛性を示す。
【００１２】
また、実施例における吸収体１０はほぼ長方形をなしている。この吸収体１０に対して、少なくとも幅方向に、実施例においては幅方向および長手方向の両者について弾性伸縮性を示す本体バックシート２０が別途設けられている。本体バクシート２０は、フラップ部を形成すべく吸収体１０より外形が大きく、全体として砂時計形状をなしており、バックシート主体２０Ａに対して、両側部に副バックシート２０Ｂ，２０Ｂが貼り合わせてある。副バックシート２０Ｂ，２０Ｂ間はバックシート主体２０Ａのみが存在する。
【００１３】
副バックシート２０Ｂ，２０Ｂの製品中央線側において、バックシート主体２０Ａとの間に、それぞれ糸ゴムなどからなる脚周り弾性伸縮部材４が１本または複数本、伸長状態で固定されている。
【００１４】
製品の両側にはサイドバリヤーカフス６，６が、前後には前後バリヤーカフス７が設けられている。これらのバリヤーカフス６，７は好ましくは不透液性または撥水性を示すシートからなる。
【００１５】
サイドバリヤーカフス６は、少なくとも脚周り部分において、使用状態において、横断面が山形形状をなしている。サイドバリヤーカフス６は、実施例においては頂部で折り返された二重シート構造であり、その内側シート部６１の裾部の一方端６１ａが吸収体１０の側部に固定され、外側シート部６２の裾部の他方端６２ａが本体バックシート２０の前記吸収体１０の側部より幅方向外方において固定され、これらの両固定部を起線として山形に表面側に起立している。
【００１６】
内側シート部６１と外側シート部６２との折り返し頂部において、これらの少なくとも一方、実施例では両者に対して、伸長下で一体化された長手方向に延びる弾性伸縮部材８が設けられている。これによって、サイドバリヤーカフス６の起立状態が維持されている。
【００１７】
他方、図示されているように、実施例における弾性伸縮部材４，４，４は、幅方向に関して、一方端６１ａ，６２ａ間に位置している。
【００１８】
前後バリヤーカフス７（一方のバリヤーカフスは図示していない）は、ウレタンゴムなどの弾性伸縮シート帯７Ａ、この両面に対して一体化された伸長可能な不織布帯７Ｂ，７Ｃを素材としたものであり、この前後バリヤーカフス７の前後方向端部は、本体バックシート２０の前後フラップ部およびサイドバリヤーカフス６，６を覆っている個所において固定されている。しかし、サイドバリヤーカフス６，６間においては表面シート１には固定されておらず、この非固定部分が表面シート１から離間または起立がちとすることによって、表面シート１を伝わって前後に拡散する尿を前後端に導かないようにしてある。前後バリヤーカフス７の弾性伸縮シート帯７Ａの存在によって前後の腰バンドを構成する。
【００１９】
本体バックシート２０は、最終製品の外面全体に及んで全体形状を規定する連続シートであり、前後方向および幅方向、少なくとも幅方向において弾性伸縮性を示す材料からなり、その弾性伸縮度は１５０％以上である。
【００２０】
製品の製造過程において、たとえば予め吸収体１０が組み立てられた状態で、本体バックシート２０にたとえばホットメルト接着剤などにより接合される。この接合部を、図２、図４および図５にクロスハッチングで示す。すなわち、吸収体１０は、その前後端部と幅方向中間部に沿って実質的に連続して本体バックシート２０に接合される。幅方向中間の接合部は、本発明の目的がサイドバリヤーカフス６，６を良好に起立させて脚周りの横漏れを確実に防止することを主眼としているので、脚周りに相当する少なくとも長手方向中央部分のみにおいて接合されていてもよい。接合部は連続しているほか、間欠的でもよい。
【００２１】
同時的またはその後において、サイドバリヤーカフス６，６が、前述の一方端６１ａおよび他方端６２ａを介して吸収体１０、および本体バックシート２０にたとえばホットメルト接着剤などによりそれぞれ接合される。この接合部についても、図２および図４にクロスハッチングで示す。
【００２２】
その後、図６に示されているように、本体バックシート２０が前後方向に折り重ねられ、その側部２０Ｘ，２０Ｘ相互が熱溶着またはホットメルト接着剤などにより接合され、パンツ型の紙おむつが組み立てられる。３０は紙おむつを丸めて廃棄する際に固定するための３つ折り粘着テープである。
【００２３】
紙おむつに要求される特性として、最重要点はフィット性に関するものである。しかし、尿の高い吸収性も必要なために、吸収体が必要となる。この吸収体は半剛性を示すために、その形状を保持するように作用する。
【００２４】
しかるに、実施例に係る紙おむつにおいては、本体バックシート２０が弾性伸縮性を示す。したがって、おむつを装着させたとき、着用者に対して本体バックシート２０の全体が締め付けるようになり、これに伴って着用者の動きが活発であったとしても、吸収体１０が肌から離れることなく、常時フィットするようになる。
【００２５】
さて、本発明においては、図４に代表的に示される構造を有する。着用状態の形状は図５に示す。これらの比較から、使用前の展開状態においては、サイドバリヤーカフス６が表面シート１側に寝がちであったのに対して、着用時において股間部に当てがわれ紙おむつの両側が収縮し、かつ股間部において横断面として図４および図５の両側が上向きに持ち上がる湾曲状態になるように、吸収体１０および本体バックシート１０が変形されるとき、図５の破線が示すように、サイドバリヤーカフス６，６が、相対的に弾性伸縮部材８，８に長手方向に関して収縮力が作用するので、山形が起立するようになる。
【００２６】
さらに、本体バックシート２０は着用に伴って前後方向のみならず、図５の白抜き矢印で示すように、幅方向に伸長するので、図５の左部分の実線で示すように、内側シート６１に対して外側シート６２が外方に拡がることにより、サイドバリヤーカフス６が破線の状態よりさらに起立することになる。
【００２７】
この起立によって、サイドバリヤーカフス６，６間の軟便などの横漏れが確実に防止される。サイドバリヤーカフス６，６が寝がちであると、着用者の肌との間において、サイドバリヤーカフス６，６の頂部稜から横漏れの可能性が高くなる（特に動きの激しい着用者の場合）。
【００２８】
本発明に係る上記の作用および利点は、サイドバリヤーカフス６，６を二重シートとし、かつ吸収体１０はその全面を本体バックシート２０に固定させて一体化させるのではなく、吸収体１０の裏面の幅方向中間部分のみが本体バックシート２０と相互に一体化され、かつ両側部分が自由部分とされていることに起因するとともに、サイドバリヤーカフス６の裾部の一方端が吸収体１０の側部に固定され、他方端が本体バックシート２０の前記側部より幅方向外方において固定され、これらの両固定部を起線として山形に表面側に起立している構造を採用しているためである。
【００２９】
本体バックシート２０が弾性伸縮性を示すものを積極的に用いる場合、本体バックシート２０と吸収体１０とを全面において固定すると、吸収体１０の非伸長性により本体バックシート２０が吸収体１０を超えて外方に延在する部分のみが伸長し、全体として十分な弾性伸縮性を得ることができない。しかるに、前記の構造を採用することにより、本体バックシート２０はほぼ全体的に伸長が可能であるために、高いフィット性が確保される。
【００３０】
（その他）
本体バックシート２０は、ムレ防止などの点から、通気性および防水性（撥水性）の少なくとも一方、より好ましくは両者の特性を有するのが望まれる。その素材は適宜選択できるが、その例としては、ポリプロピレン主体の熱融着繊維とレーヨン繊維を混綿したレーヨンスパンレース不織布と、ウレタンやイソプレンゴム系の材料を主体とするメルトブロー不織布を熱融着、超音波接合、ホットメルト接着剤による接合などにより一体化し、前者の不織布を着用者の肌側に使用するものを挙げることができる。
【００３１】
実施例においては、吸収体１０の裏面シート２を非透液性としたが、本体バックシート２０が非透液性であれば、透液性を示すものでもよい。すなわち、裏面シート２と本体バックシート２０の少なくとも一方が非透液性であればよい。
【００３２】
サイドバリヤーカフス６として、全体を折り返し二重シートとしたが、図７に示すように、頂部は一重シートであってもよい。弾性伸縮部材８の本数などは適宜である。さらに、図８に示すように、外側シート６２の裾部を内側に折り込んで他方の固定端６２ａとすることもできる。
【００３３】
【発明の効果】
以上のとおり、本発明によれば、サイドバリヤーカフスが確実に起立するようになり、もって、軟便などの横漏れを確実に防止できる。
【図面の簡単な説明】
【図１】本発明の紙おむつの最終組み立て前の状態の要部斜視図である。
【図２】その組み立て関係を示す要部斜視図である。
【図３】その要部拡大斜視図である。
【図４】横断面図である。
【図５】バリヤーカフスの起立を示す説明的横断面図である。
【図６】最終的な紙おむつの組上がり状態斜視図である。
【図７】変形例を示す横断面図である。
【図８】さらに別の変形例を示す横断面図である。
【符号の説明】
１…透液性表面シート、２…不透液性裏面シート、３…吸収体主体、４…弾性伸縮部材、６…サイドバリヤーカフス、７…前後バリヤーカフス、８…弾性伸縮部材、１０…吸収体、２０…本体バックシート。
【図１】
0003703552.tif 000002
【図２】
0003703552.tif 000003
【図３】
0003703552.tif 000004
【図４】
0003703552.tif 000005
【図５】
0003703552.tif 000006
【図６】
0003703552.tif 000007
【図７】
0003703552.tif 000008
【図８】
0003703552.tif 000009